(57)【特許請求の範囲】
【請求項１】
シャッター式３Ｄメガネを着用して立体映像を視聴することが可能な映像をディスプレイに表示する立体映像表示装置であって、
左眼用画像と右眼用画像とを前記ディスプレイに交互に表示するタイミングを生成するとともに、前記画像の表示に同期して前記シャッター式３Ｄメガネの左右シャッター個々の開閉動作を制御するシャッター制御信号を生成するタイミング生成部と、
前記シャッター制御信号を前記シャッター式３Ｄメガネに送信する送信部と、
前記送信部での送信に対応して前記シャッター式３Ｄメガネが前記シャッター制御信号を受信している間、前記シャッター式３Ｄメガネから継続して送信される応答信号を受信する受信部と、
前記受信部が前記応答信号を受信している間は、前記左眼用画像と前記右眼用画像とを前記ディスプレイに交互に表示し、前記受信部が前記応答信号を受信していない間は、前記左眼用画像または前記右眼用画像のいずれか一方のみを前記ディスプレイに順次表示する制御を行う制御部と、
を備えることを特徴とする、立体映像表示装置。
【請求項２】
請求項１に記載の立体映像表示装置と、シャッター式３Ｄメガネとを備える立体映像表示システムであって、
前記シャッター式３Ｄメガネは、前記送信部から前記シャッター制御信号を受信している間、前記受信部に対して応答信号を継続して送信する機能を備えることを特徴とする、立体映像表示システム。
【請求項３】
立体映像または平面映像の表示の切り替えを行う切り替えボタンを有し、当該切り替えボタンを押下すると切り替え信号を送信するリモコンをさらに備え、
前記シャッター式３Ｄメガネは、前記立体映像の視聴中に前記リモコンから前記切り替え信号を受信すると、前記応答信号の送信を停止することを特徴とする、請求項２に記載の立体映像表示システム。
【請求項４】
前記シャッター式３Ｄメガネは、前記平面映像の視聴中に前記リモコンから前記切り替え信号を受信すると、前記応答信号の送信を開始することを特徴とする、請求項３に記載の立体映像表示システム。
【発明の詳細な説明】
【技術分野】
【０００１】
本発明は、立体映像（以下、３Ｄとも称する）を表示する立体映像表示装置および立体映像表示システムに関し、特に、デジタル放送受信機等の立体映像表示装置、およびシャッター式３Ｄメガネを含む立体映像表示システムに関する。
【背景技術】
【０００２】
両眼の位置の差によって、左眼と右眼とにはそれぞれ異なる画像が写っている。この見え方の違いが視差と呼ばれるものであり、左眼に写った画像と右眼に写った画像との視差によって脳が奥行き感を認識して物を立体的に見ることができる。
【０００３】
従来の３Ｄ対応デジタル放送受信機では、左眼用画像と右眼用画像とを交互にディスプレイに出力して表示し、当該表示の切り替えのタイミングに同期して３Ｄメガネの右眼用シャッターと左眼用シャッターとを交互に開閉する方式が知られている（例えば、特許文献１参照）。
【先行技術文献】
【特許文献】
【０００４】
【特許文献１】特許第４２５１９５２号公報
【発明の概要】
【発明が解決しようとする課題】
【０００５】
３Ｄメガネのシャッター開閉のタイミングは、ディスプレイ側から３Ｄメガネに対して一方的に通知されているため、例えばユーザーが３Ｄの視聴に疲れを感じて３Ｄメガネを外した場合であっても、ディスプレイには左眼用画像と右眼用画像とが交互に出力され続けるため２重に重なったぼやけた画像が表示され、正常な画像（立体映像ではなく２次元の平面画像（以下、２Ｄとも称する））を視聴することができずにユーザーの利便性を欠いていた。
【０００６】
本発明はこれらの問題を解決するためになされたものであり、３Ｄメガネを外した場合であっても正常な画像を視聴することができ、ユーザーの利便性を損なわないことが可能な立体映像表示装置、立体映像表示システムを提供することを目的とする。
【課題を解決するための手段】
【０００７】
上記の課題を解決するために、本発明による立体映像表示装置は、シャッター式３Ｄメガネを着用して立体映像を視聴することが可能な映像をディスプレイに表示する立体映像表示装置であって、左眼用画像と右眼用画像とをディスプレイに交互に表示するタイミングを生成するとともに、画像の表示に同期してシャッター式３Ｄメガネの左右シャッター個々の開閉動作を制御するシャッター制御信号を生成するタイミング生成部と、シャッター制御信号をシャッター式３Ｄメガネに送信する送信部と、送信部での送信に対応してシャッター式３Ｄメガネがシャッター制御信号を受信している間、シャッター式３Ｄメガネから継続して送信される応答信号を受信する受信部と、受信部が応答信号を受信している間は、左眼用画像と右眼用画像とをディスプレイに交互に表示し、受信部が応答信号を受信していない間は、左眼用画像または右眼用画像のいずれか一方のみをディスプレイに順次表示する制御を行う制御部とを備えることを特徴とする。
【発明の効果】
【０００８】
本発明によると、送信部での送信に対応してシャッター式３Ｄメガネがシャッター制御信号を受信している間、シャッター式３Ｄメガネから継続して送信される応答信号を受信する受信部と、受信部が応答信号を受信している間は、左眼用画像と右眼用画像とをディスプレイに交互に表示し、受信部が応答信号を受信していない間は、左眼用画像または右眼用画像のいずれか一方のみをディスプレイに順次表示する制御を行う制御部とを備えるため、３Ｄメガネを外した場合であっても正常な画像を視聴することができ、ユーザーの利便性を損なわないことが可能となる。
【図面の簡単な説明】
【０００９】
【図１】本発明の実施形態１による立体映像表示システムの構成を示すブロック図である。
【図２】フレームシーケンシャル方式の画像データを示す図である。
【図３】サイドバイサイド方式の画像データを示す図である。
【図４】トップアンドボトム方式の画像データを示す図である。
【図５】本発明の実施形態１による３Ｄ視聴時における立体映像表示システムの動作を示す図である。
【図６】本発明の実施形態１による制御部の動作を示すフローチャートである。
【図７】本発明の実施形態１による３Ｄメガネを外した場合における立体映像表示システムの動作を示す図である。
【図８】従来の立体映像表示装置のディスプレイ表示の一例を示す図である。
【図９】本実施形態による立体映像表示装置のディスプレイ表示の一例を示す図である。
【図１０】本発明の実施形態２による立体映像表示システムの構成を示すブロック図である。
【発明を実施するための形態】
【００１０】
本発明の実施形態について、図面に基づいて以下に説明する。
【００１１】
〈実施形態１〉
図１は、本発明の実施形態１による立体映像表示システムの構成を示すブロック図である。図１に示すように、本実施形態１による立体映像表示システムは、例えばデジタル放送受信機等の立体映像表示装置と、シャッター式の３Ｄメガネ１１とから構成されている。また、立体映像表示装置は、アンテナ１から３Ｄのデジタル放送を受信してディスプレイ１３に表示したり、外部装置である３Ｄの再生が可能な再生装置１２から入力してディスプレイ１３に表示したりする。なお、本実施形態１では、再生装置１２を立体映像表示装置の外部装置としているが、内部装置としてもよい。
【００１２】
本実施形態１による立体映像表示装置は、デジタル放送の受信が可能なアンテナ１と、３Ｄデータを放送波で送信するために変換されていた情報を送信前の情報に戻す処理を行う復調部２と、復調部２にて復調された３Ｄデータを人（例えば、ユーザー）が認識できる画像データ（以下、３Ｄ画像データとも称する）と音声データとに戻す処理を行う画像復号部３および音声復号部１４と、画像復号部３にて復号された３Ｄ画像データをフォーマット変換し、ユーザーが視聴するための画像データ（左眼用画像データ、右眼用画像データ）を生成する処理を行う画像フォーマット変換部４と、ユーザーが視聴するために画像を写し出すディスプレイ１３とを備えている。
【００１３】
また、本実施形態１による立体映像表示装置は、画像フォーマット変換部４にてフォーマット変換して生成された画像データのうちの、左眼用画像データ（左眼用画像）を格納する左眼用画像格納部５と、右眼用画像データ（右眼用画像）を格納する右眼用画像格納部６とを備え、左眼用画像格納部５に格納された左眼用画像と右眼用画像格納部６に格納された右眼用画像とをディスプレイ１３に交互に表示するタイミングを生成する（このとき、画像表示タイミングに応じてディスプレイ１３のバックライトの点灯／消灯のタイミングも生成する）とともに、画像（左眼用画像、右眼用画像）の表示に同期してシャッター式の３Ｄメガネ１１の左右シャッター個々の開閉動作を制御するシャッター制御信号を生成するタイミング生成部７と、タイミング生成部７にて生成されたシャッター制御信号を３Ｄメガネ１１に送信する送信部８と、送信部８での送信に対応して３Ｄメガネ１１から応答信号を受信する受信部９と、立体映像表示装置全体の制御をソフトウェアの動作によって行う制御部１０とを備えている。
【００１４】
なお、アンテナ１は、例えば、地上デジタル放送の受信が可能な市販の八木・宇田アンテナや、ＢＳ（Ｂｒｏａｄｃａｓｔ  Ｓａｔｅｌｌｉｔｅ）デジタル放送の受信が可能なパラボラ型アンテナ等、デジタル放送が受信可能なアンテナであればよい。また、再生装置１２は、本実施形態１では、３Ｄの再生が可能なブルーレイプレイヤー等のブルーレイディスクメディア再生装置として説明するが、その他の３Ｄの再生が可能な再生装置であっても本実施形態１に適用可能である。
【００１５】
次に、３Ｄ画像データの各伝送方式による３Ｄの視聴について説明する。
【００１６】
まず、ブルーレイ規格で伝送される３Ｄ画像データの伝送方式について説明する。図２は、ブルーレイ規格の３Ｄ画像データの伝送方式である、フレームシーケンシャル方式の画像データを示す図である。３Ｄ画像データは、左眼用画像データと右眼用画像データとから構成されている。図２に示すフレームシーケンシャル方式の画像データは、ブルーレイ規格で統一されており、左眼用画像データおよび右眼用画像データはそれぞれ１９２０×１０８０画素で構成されている。なお、本実施形態１では、ブルーレイ規格の画像データは再生装置１２から伝送されるものとして説明する。
【００１７】
画像フォーマット変換部４は、再生装置１２から伝送されてきた３Ｄ画像データを読み込むと、１９２０×１０８０画素のまま、左眼用画像データは左眼用画像格納部５へ、右眼用画像データは右眼用画像格納部６へ、左眼用画像データと右眼用画像データとの書き込み間隔が１／２４０秒となるようにそれぞれ書き込まれる。そして、そのままの間隔（１／２４０秒）でディスプレイ１３に交互に表示される。
【００１８】
タイミング生成部７は、左眼用画像格納部５または右眼用画像格納部６への画像データの書き込み完了に同期してディスプレイ１３のバックライトを点灯させ、画像データの書き込み開始に同期してバックライトを消灯させる。
【００１９】
左眼用画像データと右眼用画像データとの書き込み間隔が１／２４０秒となるように、画像データがそれぞれ左眼用画像格納部５、右眼用画像格納部６に書き込まれるため、１９２０×１０８０画素のＨＤ（Ｈｉｇｈ  Ｄｅｆｉｎｉｔｉｏｎ）画像である左眼用画像データおよび右眼用画像データは、それぞれ１／１２０秒ごとに切り替えられてディスプレイ１３に順次表示される。
【００２０】
タイミング生成部７は、左眼用画像と右眼用画像との切り替わりに同期してシャッター制御信号を生成し、生成したシャッター制御信号を送信部８から３Ｄメガネ１１に送信する。３Ｄメガネ１１は、受信したシャッター制御信号に基づいて左右シャッター個々の開閉動作を行う。すなわち、３Ｄメガネ１１は、左眼用画像がディスプレイ１３に表示されている間は左眼用シャッターを開け、右眼用シャッターを閉じている。また、右眼用画像がディスプレイ１３に表示されている間は右眼用シャッターを開け、左眼用シャッターを閉じている。
【００２１】
次に、放送で配信される３Ｄ番組の画像データの伝送方式について説明する。図３は、放送で配信される３Ｄ番組の画像データの伝送方式の代表例の一つである、サイドバイサイド（Ｓｉｄｅ  Ｂｙ  Ｓｉｄｅ）方式の画像データを示す図である。ブルーレイ規格の３Ｄ画像データの伝送方式（フレームシーケンシャル方式）と異なる点は、横方向がＨＤ画像の１／２画素にあたる９６０×１０８０画素の画像データ（左眼用画像、右眼用画像）を左右に並べた構成となっていることである。
【００２２】
画像フォーマット変換部４は、画像復号部３から９６０×１０８０画素からなる左眼用画像データおよび右眼用画像データをそれぞれ読み込むと、左眼用画像データを横方向へ拡大して画素補完を行うことによって１９２０×１０８０画素の左眼用画像データに変換し、変換した左眼用画像データを左眼用画像格納部５に書き込む。また、右眼用画像データを横方向へ拡大して画素補完を行うことによって１９２０×１０８０画素の右眼用画像データに変換し、変換した右眼用画像データを右眼用画像格納部６に書き込む。なお、左眼用画像格納部５または右眼用画像格納部６への書き込みは、左眼用画像データと右眼用画像データとの書き込み間隔が１／２４０秒となるようにそれぞれ書き込まれ、そのままの間隔（１／２４０秒）でディスプレイ１３に交互に表示される。
【００２３】
以後、ブルーレイ規格の３Ｄ画像データの伝送方式の場合と同様の処理を行う。タイミング生成部７は、左眼用画像格納部５または右眼用画像格納部６への画像データの書き込み完了に同期してディスプレイ１３のバックライトを点灯させ、画像データの書き込み開始に同期してバックライトを消灯させる。
【００２４】
左眼用画像データと右眼用画像データとの書き込み間隔が１／２４０秒となるように、画像データがそれぞれ左眼用画像格納部５、右眼用画像格納部６に書き込まれるため、１９２０×１０８０画素のＨＤ画像である左眼用画像データおよび右眼用画像データは、それぞれ１／１２０秒ごとに切り替えられてディスプレイ１３に順次表示される。
【００２５】
タイミング生成部７は、左眼用画像と右眼用画像との切り替わりに同期してシャッター制御信号を生成し、生成したシャッター制御信号を送信部８から３Ｄメガネ１１に送信する。３Ｄメガネ１１は、受信したシャッター制御信号に基づいて左右シャッター個々の開閉動作を行う。すなわち、３Ｄメガネ１１は、左眼用画像がディスプレイ１３に表示されている間は左眼用シャッターを開け、右眼用シャッターを閉じている。また、右眼用画像がディスプレイ１３に表示されている間は右眼用シャッターを開け、左眼用シャッターを閉じている。
【００２６】
図４は、放送で配信される３Ｄ番組の画像データの伝送方式の代表例の一つである、トップアンドボトム（Ｔｏｐ  ａｎｄ  Ｂｏｔｔｏｍ）方式の画像データを示す図である。ブルーレイ規格の３Ｄ画像データの伝送方式（フレームシーケンシャル方式）と異なる点は、縦方向がＨＤ画像の１／２画素にあたる１９２０×５４０画素の画像データ（右眼用画像、左眼用画像）を上下に並べた構成となっていることである。
【００２７】
画像フォーマット変換４は、画像復号部３から１９２０×５４０画素からなる左眼用画像データおよび右眼用画像データをそれぞれ読み込むと、左眼用画像データを縦方向へ拡大して画素補完を行うことによって１９２０×１０８０画素の左眼用画像データに変換し、変換した左眼用画像データを左眼用画像格納部５に書き込む。また、右眼用画像データを縦方向へ拡大して画素補完を行うことによって１９２０×１０８０画素の右眼用画像データに変換し、変換した右眼用画像データを右眼用画像格納部６に書き込む。なお、左眼用画像格納部５または右眼用画像格納部６への書き込みは、左眼用画像データと右眼用画像データとの書き込み間隔が１／２４０秒となるようにそれぞれ書き込まれ、そのままの間隔（１／２４０秒）でディスプレイ１３に交互に表示される。
【００２８】
以後、ブルーレイ規格の３Ｄ画像データの伝送方式の場合と同様の処理を行う。タイミング生成部７は、左眼用画像格納部５または右眼用画像格納部６への画像データの書き込み完了に同期してディスプレイ１３のバックライトを点灯させ、画像データの書き込み開始に同期してバックライトを消灯させる。
【００２９】
左眼用画像データと右眼用画像データとの書き込み間隔が１／２４０秒となるように、画像データがそれぞれ左眼用画像格納部５、右眼用画像格納部６に書き込まれるため、１９２０×１０８０画素のＨＤ画像である左眼用画像データおよび右眼用画像データは、それぞれ１／１２０秒ごとに切り替えられてディスプレイ１３に順次表示される。
【００３０】
タイミング生成部７は、左眼用画像と右眼用画像との切り替わりに同期してシャッター制御信号を生成し、生成したシャッター制御信号を送信部８から３Ｄメガネ１１に送信する。３Ｄメガネ１１は、受信したシャッター制御信号に基づいて左右シャッター個々の開閉動作を行う。すなわち、３Ｄメガネ１１は、左眼用画像がディスプレイ１３に表示されている間は左眼用シャッターを開け、右眼用シャッターを閉じている。また、右眼用画像がディスプレイ１３に表示されている間は右眼用シャッターを開け、左眼用シャッターを閉じている。
【００３１】
図５は、本発明の実施形態１による３Ｄ視聴時における立体映像表示システムの動作を示す図であり、画像フォーマット変換部４の出力、ディスプレイ１３のバックライトの点灯／消灯、３Ｄメガネ１１のシャッター開閉のタイミングを示している。図５に示すように、画像フォーマット変換部４が左眼用画像格納部５への左眼用画像データの書き込みを完了させると、バックライトが点灯し、３Ｄメガネ１１の左眼用シャッターのみが開く。このとき、ディスプレイ１３には左眼用画像が表示されており、ユーザーは表示された左眼用画像を左眼だけで見ている。
【００３２】
また、画像フォーマット変換部４が右眼用画像格納部６への右眼用画像データの書き込みを開始すると、バックライトが消灯し、３Ｄメガネ１１の左眼用シャッターが閉じる。このとき、ディスプレイ１３には何も表示されず、３Ｄメガネ１１の右眼用シャッターおよび左眼用シャッターは閉じた状態となっている。そして、画像フォーマット変換部４が右眼用画像格納部６への右眼用画像データの書き込みを完了させると、バックライトが点灯し、３Ｄメガネ１１の右眼用シャッターのみが開く。このとき、ディスプレイ１３には右眼用画像が表示されており、ユーザーは表示された右眼用画像を右眼だけで見ている。
【００３３】
上記の動作（画像データの書き込み）を１／２４０秒周期で繰り返すと、ユーザーは左眼で左眼用画像を、右眼で右眼用画像を交互に見ることになり、左眼に写った画像と右眼に写った画像との視差によって脳が奥行き感を認識して物を立体的に見ることができる。
【００３４】
図６は、本発明の実施形態１による制御部１０の動作を示すフローチャートである。図６に示すように、画像フォーマット変換部４が左眼用画像格納部５への左眼用画像データの書き込みを完了させると（ステップＳ１）、ディスプレイ１３のバックライトを点灯させ（ステップＳ２）、左眼用シャッターを開ける旨のシャッター制御信号を送信部８から３Ｄメガネ１１に送信させる（ステップＳ３）。そして、受信部９にて受信される３Ｄメガネ１１からの応答信号の有無を確認し（ステップＳ４）、応答信号があれば３Ｄメガネ１１を着用して視聴していると判断してディスプレイ１３のバックライトを消灯させ（ステップＳ５）、画像フォーマット変換部４に対して右眼用画像格納部６への右眼用画像データの書き込みを開始させる（ステップＳ６）。右眼用画像データの書き込みが完了すると（ステップＳ７）、ディスプレイ１３のバックライトを点灯させ（ステップＳ８）、右眼用シャッターを開ける旨のシャッター制御信号を送信部８から３Ｄメガネ１１に送信させる（ステップＳ９）。そして、受信部９にて受信される３Ｄメガネ１１からの応答信号の有無を確認し（ステップＳ１０）、応答信号があれば３Ｄメガネ１１を着用して視聴していると判断してディスプレイ１３のバックライトを消灯させ（ステップＳ１１）、画像フォーマット変換部４に対して左眼用画像格納部５への左眼用画像データの書き込みを開始させる（ステップＳ１２）。このように、３Ｄメガネ１１は、送信部８からシャッター制御信号を受信している間、受信部９に対して応答信号を継続して送信する機能を備えている。
【００３５】
次に、図６において、途中で３Ｄメガネ１１を外した場合における制御部１０の動作について説明する。図６に示すように、画像フォーマット変換部４が左眼用画像格納部５への左眼用画像データの書き込みを完了させると（ステップＳ１）、ディスプレイ１３のバックライトを点灯させ（ステップＳ２）、左眼用シャッターを開ける旨のシャッター制御信号を送信部８から３Ｄメガネ１１に送信させる（ステップＳ３）。そして、受信部９にて受信される３Ｄメガネ１１からの応答信号の有無を確認し（ステップＳ４）、応答信号がなければ３Ｄメガネ１１を外したと判断してディスプレイ１３のバックライトを消灯させ（ステップＳ１１）、画像フォーマット変換部４に対して左眼用画像格納部５への左眼用画像データの書き込みを開始させる（ステップＳ１２）。その後、左用画像データの書き込みの完了を待つ（ステップＳ１）。
【００３６】
上記の動作を行うことによって、ユーザーが３Ｄメガネ１１を外している間（すなわち、３Ｄメガネ１１が必ずしも立体映像表示装置と対面せず、受信部９が３Ｄメガネ１１からの応答信号を受信していない間）、画像フォーマット変換部４は左用画像格納部５への左眼用画像データの書き込みのみを繰り返し行なう。従って、ディスプレイ１３には左眼用画像のみが順次表示されるため、ユーザーは２重にぼやけた画像ではなく正常な画像（２Ｄの画像）を視聴することができる。
【００３７】
なお、上記ではディスプレイ１３に左眼用画像のみを順次表示させるようにしたが、右眼用画像のみを順次表示させるようにしてもよく、図６のステップＳ１０において３Ｄメガネ１１からの応答信号がない場合の処理に相当する。この場合であっても、ユーザーは２重にぼやけた画像ではなく正常な画像（２Ｄの画像）を視聴することができる。このように、制御部１０は、受信部９が応答信号を受信している間は、左眼用画像と右眼用画像とをディスプレイ１３に交互に表示し、受信部９が応答信号を受信していない間は、左眼用画像または右眼用画像のいずれか一方のみをディスプレイ１３に順次表示する制御を行う。
【００３８】
図７は、本発明の実施形態１による３Ｄメガネ１１を外した場合における立体映像表示システムの動作を示す図であり、画像フォーマット変換部４の出力、ディスプレイ１３のバックライトの点灯／消灯、３Ｄメガネ１１のシャッター開閉のタイミングを示している。図７に示すように、３Ｄメガネ１１を外した場合において、画像フォーマット変換部４は、左眼用画像格納部５への左眼用画像データの書き込みのみを行なっている。このとき、ディスプレイ１３には左眼用画像のみが順次表示される。
【００３９】
なお、図７では、左眼用画像格納部５への左眼用画像データの書き込みのみを行なっているが、右眼用画像格納部６への右眼用画像データの書き込みのみを行なってもよい。その場合、ディスプレイ１３には右眼用画像のみが順次表示されることになる。また、図７では、３Ｄメガネ１１は、３Ｄメガネ１１を外しても（すなわち、３Ｄメガネ１１からの応答信号が立体映像表示装置に届かなくても）左右シャッターの開閉制御を行うように示されているが、３Ｄメガネ１１を外すと左右シャッターの開閉制御を行わないようにしてもよい。
【００４０】
図８は、３Ｄメガネ１１を外したことを検出する機能を備えない、従来の立体映像表示装置のディスプレイ表示の一例を示す図である。図８に示すように、従来の立体映像表示装置では、３Ｄメガネ１１の着用の有無に関係なく左眼用画像と右眼用画像とがディスプレイ１３に交互に表示されるため、ユーザーが３Ｄメガネ１１を外してもディスプレイ１３には例えば文字「あ」が２重に表示される。
【００４１】
図９は、３Ｄメガネ１１を外したことを検出する機能を備える、本実施形態による立体映像表示装置のディスプレイ表示の一例を示す図である。図９に示すように、本実施形態による立体映像表示装置では、３Ｄメガネ１１からの応答信号がないと３Ｄメガネ１１を外したと判断されるため、ディスプレイ１３には左眼用画像または右眼用画像のいずれか一方のみが順次表示されるため、ユーザーが３Ｄメガネ１１を外してもディスプレイ１３には例えば文字「あ」が２重に重なることなく正常に表示される。
【００４２】
以上のことから、本実施形態１による立体映像表示装置および立体映像表示システムは、受信部９が３Ｄメガネ１１からの応答信号を受信している間は、左眼用画像と右眼用画像とをディスプレイ１３に交互に表示し、受信部９が応答信号を受信していない間は、左眼用画像または右眼用画像のいずれか一方のみをディスプレイ１３に順次表示するため、ユーザーが３Ｄメガネ１１を外した場合であっても正常な画像を視聴することができ、ユーザーの利便性を損なわないことが可能となる。
【００４３】
〈実施形態２〉
図１０は、本発明の実施形態２による立体映像表示システムの構成を示すブロック図である。本発明の実施形態２による立体映像表示システムでは、３Ｄ（立体映像）または２Ｄ（平面映像）の表示の切り替えを行う３Ｄ／２Ｄ切り替えボタンを有し、３Ｄ／２Ｄ切り替えボタンを押下すると３Ｄ／２Ｄ切り替え信号を送信するリモコン１５を備えることを特徴としている。その他の構成および動作は、実施形態１による立体映像表示装置および立体映像表示システムと同様であるため、ここでは説明を省略する。
【００４４】
以下、本実施形態２による立体映像表示システムの動作について説明する。
【００４５】
ユーザーがリモコン１５に備えられた３Ｄ／２Ｄ切り替えボタンを押下すると、リモコン１５から３Ｄメガネ１１に対して３Ｄ／２Ｄ切り替え信号が送信される。３Ｄメガネ１１は、ユーザーが３Ｄを視聴中にリモコン１５から３Ｄ／２Ｄ切り替え信号を受信すると、受信部９への応答信号の送信を強制的に停止する。３Ｄメガネ１１から送信される応答信号が停止されると、実施形態１と同様に、左眼用画像または右眼用画像のいずれか一方のみがディスプレイ１３に順次表示される。すなわち、ディスプレイ１３には２Ｄの画像が表示される。
【００４６】
また、３Ｄメガネ１１は、ユーザーが２Ｄを視聴中にリモコン１５から３Ｄ／２Ｄ切り替え信号を受信すると、受信部９への応答信号の送信を開始（送信の強制停止を解除）する。３Ｄメガネ１１から受信部９への応答信号の送信が開始されると、実施形態１と同様に、左眼用画像と右眼用画像とがディスプレイ１３に交互に表示される。すなわち、ディスプレイ１３には３Ｄの画像が表示される。
【００４７】
以上のことから、リモコン１５に備えられた３Ｄ／２Ｄ切り替えボタンを押下することによって、３Ｄメガネ１１から受信部９への応答信号の送信の強制停止（停止）／解除（開始）を行うため、応答信号の送信が停止された場合はディスプレイ１３に２Ｄの画像が表示され（実施形態１における３Ｄメガネ１１を外した場合と同じ動作）、応答信号の送信が開始された場合はディスプレイ１３に３Ｄの画像が表示される（実施形態１における３Ｄメガネ１１を着用した場合と同じ動作）ため、ユーザーの利便性を損なわないことが可能となる。
【産業上の利用可能性】
【００４８】
本発明の活用例として、３Ｄ対応デジタル放送受信機に適用できる。
【符号の説明】
【００４９】
１  アンテナ、２  復調部、３  画像復号部、４  画像フォーマット変換部、５  左眼用画像格納部、６  右眼用画像格納部、７  タイミング生成部、８  送信部、９  受信部、１０  制御部、１１  ３Ｄメガネ、１２  再生装置、１３  ディスプレイ、１４  音声復号部、１５  リモコン。
【図１】
0005449017.tif 000002
【図２】
0005449017.tif 000003
【図３】
0005449017.tif 000004
【図４】
0005449017.tif 000005
【図５】
0005449017.tif 000006
【図６】
0005449017.tif 000007
【図７】
0005449017.tif 000008
【図８】
0005449017.tif 000009
【図９】
0005449017.tif 000010
【図１０】
0005449017.tif 000011